(57)【特許請求の範囲】
【請求項１】
無線アクセス機能を持つ移動端末に対してコンテンツを提供する情報提供装置と、前記移動端末と通信する無線アクセスポイントを管理する無線アクセスポイント管理装置と、を備える情報サービス提供システムであって、
前記情報提供装置は、
前記無線アクセスポイントを識別する無線アクセスポイント識別情報を前記移動端末から受信する手段と、
前記無線アクセスポイント管理装置に対して、前記無線アクセスポイント識別情報を送信して検索依頼を行う手段と、
前記検索依頼の結果として、前記無線アクセスポイント管理装置から送信される位置情報及び場所の属性を受信する手段と、
当該受信した位置情報及び場所の属性に基づいて、前記情報提供装置内に保持するコンテンツを検索し、検索されたコンテンツを前記移動端末に送信する手段と、を有し、
前記無線アクセスポイント管理装置は、
前記無線アクセスポイント識別情報に対応する位置情報及び場所の属性を表すテーブルを保持する手段と、
前記情報提供装置からの検索依頼により、前記無線アクセスポイント識別情報を受信する手段と、
前記検索依頼を受けて、前記テーブルを検索し、受信した前記無線アクセスポイント識別情報に対応する位置情報及び場所の属性を前記情報提供装置に送信する手段と、を有することを特徴とする情報サービス提供システム。
【請求項２】
無線アクセス機能を持つ移動端末に対してコンテンツを提供する情報提供装置と、前記移動端末と通信する無線アクセスポイントを管理する無線アクセスポイント管理装置と、前記無線アクセスポイントと当該無線アクセスポイントの圏内に位置する移動端末との関係を記憶する移動端末管理装置と、を備える情報サービス提供システムであって、
前記情報提供装置は、
前記無線アクセスポイント管理装置に対して、位置情報及び場所の属性を送信して検索依頼を行う手段と、
前記検索依頼の後に、前記移動端末管理装置から前記移動端末の端末アドレスを受信する手段と、
検索依頼を行った位置情報及び場所の属性を用いて当該情報提供装置内に保持するコンテンツを検索し、検索されたコンテンツを前記受信した端末アドレスの移動端末に送信する手段と、を有し、
前記無線アクセスポイント管理装置は、
前記無線アクセスポイントを識別する無線アクセスポイント識別情報に対応する位置情報及び場所の属性を表すテーブルを保持する手段と、
前記情報提供装置からの検索依頼により、位置情報及び場所の属性を受信する手段と、
前記検索依頼を受けて、前記テーブルを検索し、受信した当該位置情報及び場所の属性に合う前記無線アクセスポイント識別情報を取得する手段と、
取得した当該無線アクセスポイント識別情報を前記移動端末管理装置に送信する手段と、を有し、
前記移動端末管理装置は、
前記無線アクセスポイント識別情報と前記移動端末の端末アドレスとの対応を随時更新する手段と、
前記無線アクセスポイント識別情報を前記無線アクセスポイント管理装置から受信する手段と、
受信した前記無線アクセスポイント識別情報に対応する前記端末アドレスを前記情報提供装置に送信する手段と、を有することを特徴とする情報サービス提供システム。
【請求項３】
無線アクセス機能を持つ移動端末に対してコンテンツを提供する情報提供装置と、前記移動端末と通信する無線アクセスポイントを管理する無線アクセスポイント管理装置と、前記無線アクセスポイントと当該無線アクセスポイントの圏内に位置する前記移動端末との関係を記憶する移動端末管理装置と、を備える情報サービス提供システムであって、
前記情報提供装置は、
前記移動端末管理装置に対して、前記無線アクセスポイントの位置情報及び場所の属性や現在の時刻などの前記移動端末へコンテンツを提供する条件であるコンテンツ提供条件を送信する手段と、
前記移動端末管理装置から、前記位置情報及び場所の属性と前記コンテンツ提供条件とが合致したことを示すコンテンツ提供条件該当信号を受信する手段と、
前記コンテンツ提供条件該当信号を受信したときに前記コンテンツを前記移動端末に送信する手段と、を有し、
前記無線アクセスポイント管理装置は、
前記無線アクセスポイントを識別する無線アクセスポイント識別情報に対応する位置情報及び場所の属性を表すテーブルを保持する手段と、
前記移動端末管理装置から送信された前記無線アクセスポイント識別情報を受信する手段と、
当該受信した前記無線アクセスポイント識別情報に対応する位置情報及び場所の属性を、前記テーブルを検索して取得する手段と、
当該取得した位置情報及び場所の属性を、前記移動端末管理装置に送信する手段と、を有し、
前記移動端末管理装置は、
前記無線アクセスポイント識別情報と前記移動端末の端末アドレスとの対応を随時更新する手段と、
前記情報提供装置から送信された前記コンテンツ提供条件を保持する手段と、
前記無線アクセスポイント管理装置に対して、前記無線アクセスポイント識別情報を送信する手段と、
前記無線アクセスポイント管理装置の送信する位置情報及び場所の属性を受信する手段と、
当該受信した位置情報及び場所の属性が前記コンテンツ提供条件に該当する場合には、前記コンテンツ提供条件該当信号を前記情報提供装置に送信する手段と、を有することを特徴とする情報サービス提供システム。
【請求項４】
無線アクセス機能を持つ移動端末に対してコンテンツを提供する情報提供装置と、電車やバスなどの移動体に配置されかつ前記移動端末と通信する移動無線アクセスポイントを管理する移動無線アクセスポイント管理装置と、を備える情報サービス提供システムであって、
前記情報提供装置は、
前記移動無線アクセスポイントを識別する移動無線アクセスポイント識別情報を前記移動端末から受信する手段と、
前記移動無線アクセスポイント管理装置に対して、前記移動無線アクセスポイント識別情報を送信して検索依頼を行う手段と、
前記検索依頼の結果として、前記移動無線アクセスポイント管理装置から送信される位置情報及び場所の属性を受信する手段と、
当該受信した位置情報及び場所の属性に基づいて、前記情報提供装置内に保持するコンテンツを検索し、検索されたコンテンツを前記移動端末に送信する手段と、を有し、
前記移動無線アクセスポイント管理装置は、
前記移動無線アクセスポイント識別情報に対応する位置情報及び場所の属性を表すテーブルを保持する手段と、
前記情報提供装置からの検索依頼により、前記移動無線アクセスポイント識別情報を受信する手段と、
前記検索依頼を受けて、前記テーブルを検索し、受信した前記移動無線アクセスポイント識別情報に対応する位置情報及び場所の属性を前記情報提供装置に送信する手段と、を有することを特徴とする情報サービス提供システム。
【請求項５】
無線アクセス機能を持つ移動端末に対してコンテンツを提供する情報提供装置と、電車やバスなどの移動体に配置されかつ前記移動端末と通信する移動無線アクセスポイントを管理する移動無線アクセスポイント管理装置と、前記移動無線アクセスポイントと当該移動無線アクセスポイントの圏内に位置する移動端末との関係を記憶する移動端末管理装置と、を備える情報サービス提供システムであって、
前記情報提供装置は、
前記移動無線アクセスポイント管理装置に対して、位置情報及び場所の属性を送信して検索依頼を行う手段と、
前記検索依頼の後に、前記移動端末管理装置から前記移動端末の端末アドレスを受信する手段と、
検索依頼を行った位置情報及び場所の属性を用いて当該情報提供装置内に保持するコンテンツを検索し、検索されたコンテンツを前記受信した端末アドレスの移動端末に送信する手段と、を有し、
前記移動無線アクセスポイント管理装置は、
前記移動無線アクセスポイントを識別する移動無線アクセスポイント識別情報に対応する位置情報及び場所の属性を表すテーブルを保持する手段と、
前記情報提供装置からの検索依頼により、位置情報及び場所の属性を受信する手段と、
前記検索依頼を受けて、前記テーブルを検索し、受信した当該位置情報及び場所の属性に合う前記移動無線アクセスポイント識別情報を取得する手段と、
取得した当該移動無線アクセスポイント識別情報を前記移動端末管理装置に送信する手段と、を有し、
前記移動端末管理装置は、
前記移動無線アクセスポイント識別情報と前記移動端末の端末アドレスとの対応を随時更新する手段と、
前記移動無線アクセスポイント識別情報を前記移動無線アクセスポイント管理装置から受信する手段と、
受信した前記移動無線アクセスポイント識別情報に対応する前記端末アドレスを前記情報提供装置に送信する手段と、を有することを特徴とする情報サービス提供システム。
【請求項６】
無線アクセス機能を持つ移動端末に対してコンテンツを提供する情報提供装置と、電車やバスなどの移動体に配置されかつ前記移動端末と通信する移動無線アクセスポイントを管理する移動無線アクセスポイント管理装置と、前記移動無線アクセスポイントと当該移動無線アクセスポイントの圏内に位置する前記移動端末との関係を記憶する移動端末管理装置と、を備える情報サービス提供システムであって、
前記情報提供装置は、
前記移動端末管理装置に対して、前記移動無線アクセスポイントの位置情報及び場所の属性や現在の時刻などの前記移動端末へコンテンツを提供する条件であるコンテンツ提供条件を送信する手段と、
前記移動端末管理装置から、前記位置情報及び場所の属性と前記コンテンツ提供条件とが合致したことを示すコンテンツ提供条件該当信号を受信する手段と、
前記コンテンツ提供条件該当信号を受信したときに前記コンテンツを前記移動端末に送信する手段と、を有し、
前記移動無線アクセスポイント管理装置は、
前記移動無線アクセスポイントを識別する移動無線アクセスポイント識別情報に対応する位置情報及び場所の属性を表すテーブルを保持する手段と、
前記移動端末管理装置から送信された前記移動無線アクセスポイント識別情報を受信する手段と、
当該受信した前記移動無線アクセスポイント識別情報に対応する位置情報及び場所の属性を、前記テーブルを検索して取得する手段と、
当該取得した位置情報及び場所の属性を、前記移動端末管理装置に送信する手段と、を有し、
前記移動端末管理装置は、
前記移動無線アクセスポイント識別情報と前記移動端末の端末アドレスとの対応を随時更新する手段と、
前記情報提供装置から送信された前記コンテンツ提供条件を保持する手段と、
前記移動無線アクセスポイント管理装置に対して、前記移動無線アクセスポイント識別情報を送信する手段と、
前記移動無線アクセスポイント管理装置の送信する位置情報及び場所の属性を受信する手段と、
当該受信した位置情報及び場所の属性が前記コンテンツ提供条件に該当する場合には、前記コンテンツ提供条件該当信号を前記情報提供装置に送信する手段と、を有することを特徴とする情報サービス提供システム。
【発明の詳細な説明】
【０００１】
【発明の属する技術分野】
本発明は、情報サービス提供システムに関し、特に、場所の属性を利用した情報サービス提供システムに関する。
【０００２】
【従来の技術】
マイクロセル方式などの移動通信網においては、移動端末が現在どの場所に存在しているかという位置情報を把握することができる。現在、この移動通信網において取得される位置情報を利用した情報サービス（ロケーションサービス）を実現する情報サービス提供システムが各種提案されている。
【０００３】
たとえば、現在、ブラウザ機能を持った携帯電話が、サーバから情報を取得する際に自己の位置情報をサーバに通知することで、サーバに天気予報などの場所に関連した情報を自己に送信させ、当該情報を画面に表示するサービスが提供されている。
【０００４】
また、上記サービスよりも高精度な位置情報を利用するサービスとして、ＧＰＳ（Ｇｌｏｂａｌ  Ｐｏｓｉｔｉｏｎｉｎｇ    Ｓｙｓｔｅｍ）を移動端末に搭載し、これにより得られる位置情報を利用した情報サービスも提供されている。
【０００５】
さらには、近年、Ｂｌｕｅｔｏｏｔｈや無線ＬＡＮ（ＩＥＥＥ８０２．１１ｂ）などの技術を用いて、飲食店や駅や空港などの人の集まる場所（ホットスポット）で、高速なネットワーク接続を行うサービスの導入が検討されている。かかるサービスが導入されれば、次のようなサービスを提供することも可能となる。すなわち、ホットスポットに在圏する移動端末が自己の位置情報を利用することにより、そのホットスポットに関連するローカルな情報を取得することができるサービスである。
【０００６】
【発明が解決しようとする課題】
しかし、上記従来のロケーションサービスを実現するシステムは、移動端末の在圏する無線アクセスポイントの位置やＧＰＳで特定される移動端末自身の位置などの物理的な位置しか、位置情報として利用することができない。したがって、従来のロケーションサービスでは、移動端末の置かれている場所の意味的な属性（たとえば、喫茶店、駅など）に関連した情報を位置情報とすることができない。特に、ＧＰＳにおいては、移動端末の物理的な位置を高精度に特定することができても、当該移動端末が屋内にいるか屋外にいるかの意味的な属性すら特定することができないというのが現状である。
【０００７】
また、ホットスポット向けのサービスにおいては、ローカルな情報を提供する必要があるため、移動端末が置かれている場所の意味的な情報を「渋谷の喫茶店」や「東京都内の駅」などというように、詳細に特定する必要がある。
【０００８】
しかし、従来のロケーションサービスを実現するシステムでは、上述のように、物理的な位置を位置情報として用いることができるにすぎないため、移動端末が置かれている場所の意味的な情報を詳細に特定することができず、実質的に、ホットスポット向けのサービスを意義あるものとすることはできなかった。
【０００９】
さらには、従来のロケーションサービスを実現するシステムは、移動端末に対して静止している場所に関する情報を提供することができても、移動している場所に関する情報を提供することができない。
【００１０】
したがって、従来のロケーションサービスを実現するシステムでは、たとえば、移動端末が山手線の電車内に位置する場合に、「山手線の電車」という位置情報に関連した情報を提供することはできなかった。
【００１１】
そこで、本発明は、かかる事情に鑑み、携帯端末の位置する場所の意味的な属性に関する情報をＮＷ上のサーバで管理することにより、場所の意味的な属性を利用した情報サービス提供システムを実現することを目的とする。
【００１２】
【課題を解決するための手段】
上記課題は、前記特許請求の範囲に記載の手段により解決される。すなわち、請求項１に係る発明は、無線アクセス機能を持つ移動端末に対してコンテンツを提供する情報提供装置と、前記移動端末と通信する無線アクセスポイントを管理する無線アクセスポイント管理装置と、を備える情報サービス提供システムであって、
【００１３】
前記情報提供装置は、前記無線アクセスポイントを識別する無線アクセスポイント識別情報を前記移動端末から受信する手段と、前記無線アクセスポイント管理装置に対して、前記無線アクセスポイント識別情報を送信して検索依頼を行う手段と、前記検索依頼の結果として、前記無線アクセスポイント管理装置から送信される位置情報及び場所の属性を受信する手段と、当該受信した位置情報及び場所の属性に基づいて、前記情報提供装置内に保持するコンテンツを検索し、検索されたコンテンツを前記移動端末に送信する手段と、を有し、
【００１４】
前記無線アクセスポイント管理装置は、前記無線アクセスポイント識別情報に対応する位置情報及び場所の属性を表すテーブルを保持する手段と、前記情報提供装置からの検索依頼により、前記無線アクセスポイント識別情報を受信する手段と、前記検索依頼を受けて、前記テーブルを検索し、受信した前記無線アクセスポイント識別情報に対応する位置情報及び場所の属性を前記情報提供装置に送信する手段と、を有することを特徴とする情報サービス提供システムである。
【００１５】
請求項１に係る発明によれば、無線アクセスポイントの場所の属性を利用することにより、物理的な位置のみに基づいてコンテンツを提供していた従来のシステムと比べて、よりユーザの状況に即したコンテンツの提供が可能となる。したがって、たとえば、座っている可能性が高いと思われる喫茶店にいる人に対してのみ、広告情報を提供するなどのコンテンツ提供が可能となる。
【００１６】
請求項２に係る発明は、無線アクセス機能を持つ移動端末に対してコンテンツを提供する情報提供装置と、前記移動端末と通信する無線アクセスポイントを管理する無線アクセスポイント管理装置と、前記無線アクセスポイントと当該無線アクセスポイントの圏内に位置する移動端末との関係を記憶する移動端末管理装置と、を備える情報サービス提供システムであって、
【００１７】
前記情報提供装置は、前記無線アクセスポイント管理装置に対して、位置情報及び場所の属性を送信して検索依頼を行う手段と、前記検索依頼の後に、前記移動端末管理装置から前記移動端末の端末アドレスを受信する手段と、検索依頼を行った位置情報及び場所の属性を用いて当該情報提供装置内に保持するコンテンツを検索し、検索されたコンテンツを前記受信した端末アドレスの移動端末に送信する手段と、を有し、
【００１８】
前記無線アクセスポイント管理装置は、前記無線アクセスポイントを識別する無線アクセスポイント識別情報に対応する位置情報及び場所の属性を表すテーブルを保持する手段と、前記情報提供装置からの検索依頼により、位置情報及び場所の属性を受信する手段と、前記検索依頼を受けて、前記テーブルを検索し、受信した当該位置情報及び場所の属性に合う前記無線アクセスポイント識別情報を取得する手段と、取得した当該無線アクセスポイント識別情報を前記移動端末管理装置に送信する手段と、を有し、前記移動端末管理装置は、前記無線アクセスポイント識別情報と前記移動端末の端末アドレスとの対応を随時更新する手段と、前記無線アクセスポイント識別情報を前記無線アクセスポイント管理装置から受信する手段と、受信した前記無線アクセスポイント識別情報に対応する前記端末アドレスを前記情報提供装置に送信する手段と、を有することを特徴とする情報サービス提供システムである。
【００１９】
請求項２に係る発明は、請求項１に係る発明の構成に加えて、無線アクセスポイントと当該無線アクセスポイントの圏内に位置する移動端末との関係を記憶する移動端末管理装置を有している。したがって、これにより、位置と場所の属性の条件にあった移動端末に対して、プッシュ型のコンテンツ提供が可能となる。よって、時間限定の安売り情報などの情報を情報提供者からタイミングをとって提供できるようになる。
【００２０】
請求項３に係る発明は、無線アクセス機能を持つ移動端末に対してコンテンツを提供する情報提供装置と、前記移動端末と通信する無線アクセスポイントを管理する無線アクセスポイント管理装置と、前記無線アクセスポイントと当該無線アクセスポイントの圏内に位置する前記移動端末との関係を記憶する移動端末管理装置と、を備える情報サービス提供システムであって、
【００２１】
前記情報提供装置は、前記移動端末管理装置に対して、前記無線アクセスポイントの位置情報及び場所の属性や現在の時刻などの前記移動端末へコンテンツを提供する条件であるコンテンツ提供条件を送信する手段と、前記移動端末管理装置から、前記位置情報及び場所の属性と前記コンテンツ提供条件とが合致したことを示すコンテンツ提供条件該当信号を受信する手段と、前記コンテンツ提供条件該当信号を受信したときに前記コンテンツを前記移動端末に送信する手段と、を有し、
【００２２】
前記無線アクセスポイント管理装置は、前記無線アクセスポイントを識別する無線アクセスポイント識別情報に対応する位置情報及び場所の属性を表すテーブルを保持する手段と、前記移動端末管理装置から送信された前記無線アクセスポイント識別情報を受信する手段と、当該受信した前記無線アクセスポイント識別情報に対応する位置情報及び場所の属性を、前記テーブルを検索して取得する手段と、当該取得した位置情報及び場所の属性を、前記移動端末管理装置に送信する手段と、を有し、
【００２３】
前記移動端末管理装置は、前記無線アクセスポイント識別情報と前記移動端末の端末アドレスとの対応を随時更新する手段と、前記情報提供装置から送信された前記コンテンツ提供条件を保持する手段と、前記無線アクセスポイント管理装置に対して、前記無線アクセスポイント識別情報を送信する手段と、前記無線アクセスポイント管理装置の送信する位置情報及び場所の属性を受信する手段と、当該受信した位置情報及び場所の属性が前記コンテンツ提供条件に該当する場合には、前記コンテンツ提供条件該当信号を前記情報提供装置に送信する手段と、を有することを特徴とする情報サービス提供システムである。
【００２４】
請求項３に係る発明によれば、請求項１に係る発明の構成に加えて、無線アクセスポイントと当該無線アクセスポイントの圏内に位置する移動端末との関係を記憶する移動端末管理装置とを有しているため、位置や場所や時刻などの条件にあった無線アクセスポイントの圏内にいる移動端末に対して、移動端末が当該圏内に入ったことに起因して、コンテンツを提供することができるようになる。よって、たとえば、移動端末が午後１時に、東京駅に設置された無線アクセスポイントの圏内に入れば、当該午後１時に東京駅の無線アクセスポイントの圏内に入ったことに起因して、午後１時台のダイヤ情報を当該移動端末に提供できるようになる。
【００２５】
請求項４に係る発明は、無線アクセス機能を持つ移動端末に対してコンテンツを提供する情報提供装置と、電車やバスなどの移動体に配置されかつ前記移動端末と通信する移動無線アクセスポイントを管理する移動無線アクセスポイント管理装置と、を備える情報サービス提供システムであって、
【００２６】
前記情報提供装置は、前記移動無線アクセスポイントを識別する移動無線アクセスポイント識別情報を前記移動端末から受信する手段と、前記移動無線アクセスポイント管理装置に対して、前記移動無線アクセスポイント識別情報を送信して検索依頼を行う手段と、前記検索依頼の結果として、前記移動無線アクセスポイント管理装置から送信される位置情報及び場所の属性を受信する手段と、当該受信した位置情報及び場所の属性に基づいて、前記情報提供装置内に保持するコンテンツを検索し、検索されたコンテンツを前記移動端末に送信する手段と、を有し、
【００２７】
前記移動無線アクセスポイント管理装置は、前記移動無線アクセスポイントを識別する移動無線アクセスポイント識別情報に対応する位置情報及び場所の属性を表すテーブルを保持する手段と、前記情報提供装置からの検索依頼により、前記移動無線アクセスポイント識別情報を受信する手段と、前記検索依頼を受けて、前記テーブルを検索し、受信した前記移動無線アクセスポイント識別情報に対応する位置情報及び場所の属性を前記情報提供装置に送信する手段と、を有することを特徴とする情報サービス提供システムである。
【００２８】
請求項４に係る発明によれば、電車やバスなどの移動体に設置された移動無線アクセスポイントの場所の属性を利用することにより、移動無線アクセスポイントの圏内にいる移動端末に対しても、請求項１と同様の情報の提供が可能となる。
【００２９】
請求項５に係る発明は、無線アクセス機能を持つ移動端末に対してコンテンツを提供する情報提供装置と、電車やバスなどの移動体に配置されかつ前記移動端末と通信する移動無線アクセスポイントを管理する移動無線アクセスポイント管理装置と、前記移動無線アクセスポイントと当該移動無線アクセスポイントの圏内に位置する移動端末との関係を記憶する移動端末管理装置と、を備える情報サービス提供システムであって、
【００３０】
前記情報提供装置は、前記移動無線アクセスポイント管理装置に対して、位置情報及び場所の属性を送信して検索依頼を行う手段と、前記検索依頼の後に、前記移動端末管理装置から前記移動端末の端末アドレスを受信する手段と、検索依頼を行った位置情報及び場所の属性を用いて当該情報提供装置内に保持するコンテンツを検索し、検索されたコンテンツを前記受信した端末アドレスの移動端末に送信する手段と、を有し、
【００３１】
前記移動無線アクセスポイント管理装置は、前記移動無線アクセスポイント識別情報に対応する位置情報及び場所の属性を表すテーブルを保持する手段と、前記情報提供装置からの検索依頼により、位置情報及び場所の属性を受信する手段と、前記検索依頼を受けて、前記テーブルを検索し、受信した当該位置情報及び場所の属性に合う前記移動無線アクセスポイント識別情報を取得する手段と、取得した当該移動無線アクセスポイント識別情報を前記移動端末管理装置に送信する手段と、を有し、前記移動端末管理装置は、前記移動無線アクセスポイント識別情報と前記移動端末の端末アドレスとの対応を随時更新する手段と、前記移動無線アクセスポイント識別情報を前記移動無線アクセスポイント管理装置から受信する手段と、受信した前記移動無線アクセスポイント識別情報に対応する前記端末アドレスを前記情報提供装置に送信する手段と、を有することを特徴とする情報サービス提供システムである。
【００３２】
請求項５に係る発明によれば、請求項４に係る発明の構成に加えて、移動無線アクセスポイントと当該移動無線アクセスポイントの圏内に位置する移動端末との関係を記憶する移動端末管理装置とを有しているため、位置と場所との条件にあった移動無線アクセスポイントの圏内にいる移動端末に対して、プッシュ型の情報の提供が可能となる。したがって、山手線に乗っている人に対して乗り換えの情報などを情報提供者がタイミングをとって提供できる。
【００３３】
請求項６に係る発明は、無線アクセス機能を持つ移動端末に対してコンテンツを提供する情報提供装置と、電車やバスなどの移動体に配置されかつ前記移動端末と通信する移動無線アクセスポイントを管理する移動無線アクセスポイント管理装置と、前記移動無線アクセスポイントと当該移動無線アクセスポイントの圏内に位置する前記移動端末との関係を記憶する移動端末管理装置と、を備える情報サービス提供システムであって、
【００３４】
前記情報提供装置は、前記移動端末管理装置に対して、前記移動無線アクセスポイントの位置情報及び場所の属性や現在の時刻などの前記移動端末へコンテンツを提供する条件であるコンテンツ提供条件を送信する手段と、前記移動端末管理装置から、前記位置情報及び場所の属性と前記コンテンツ提供条件とが合致したことを示すコンテンツ提供条件該当信号を受信する手段と、前記コンテンツ提供条件該当信号を受信したときに前記コンテンツを前記移動端末に送信する手段と、を有し、
【００３５】
前記移動無線アクセスポイント管理装置は、前記移動無線アクセスポイントを識別する移動無線アクセスポイント識別情報に対応する位置情報及び場所の属性を表すテーブルを保持する手段と、前記移動端末管理装置から送信された前記移動無線アクセスポイント識別情報を受信する手段と、当該受信した前記移動無線アクセスポイント識別情報に対応する位置情報及び場所の属性を、前記テーブルを検索して取得する手段と、当該取得した位置情報及び場所の属性を、前記移動端末管理装置に送信する手段と、を有し、
【００３６】
前記移動端末管理装置は、前記移動無線アクセスポイント識別情報と前記移動端末の端末アドレスとの対応を随時更新する手段と、前記情報提供装置から送信された前記コンテンツ提供条件を保持する手段と、前記移動無線アクセスポイント管理装置に対して、前記移動無線アクセスポイント識別情報を送信する手段と、前記移動無線アクセスポイント管理装置の送信する位置情報及び場所の属性を受信する手段と、当該受信した位置情報及び場所の属性が前記コンテンツ提供条件に該当する場合には、前記コンテンツ提供条件該当信号を前記情報提供装置に送信する手段と、を有することを特徴とする情報サービス提供システムである。
【００３７】
請求項６に係る発明によれば、請求項４に係る発明の構成に加えて、移動無線アクセスポイントと当該移動無線アクセスポイントの圏内に位置する移動端末との関係を記憶する移動端末管理装置とを有しているため、位置や場所や時刻などの条件にあった移動無線アクセスポイントの圏内にいる移動端末に対して、移動端末が当該圏内に入ったことに起因して、コンテンツを提供することができるようになる。したがって、山手線に乗っている人に対して、乗り換えの情報や車窓から見える景色の情報などを電車が駅を通過するタイミングや電車が所定の地点を通過するタイミングで提供できるようになる。
【００３８】
【発明の実施の形態】
以下に添付図面を参照して、本発明に係る情報サービス提供システムの好適な実施の形態を詳細に説明する。図１は、本発明の第一の実施の形態における各装置の接続構成の一例を示す図であり、請求項１に係る発明の実施の形態を示すものである。１１、１２は無線アクセスポイント（無線ＡＰ）、１３はそれら無線アクセスポイントを管理する無線アクセスポイント管理装置、１４は無線アクセス機能を持つ移動端末、１５は移動端末に対して情報を提供する情報提供装置、１６はこれらを相互に接続するネットワークをあらわす。
【００３９】
図２は、本発明の第一の実施の形態、および後述する第二の実施の形態における無線アクセスポイント管理装置に保持されているデータの一例を説明する図であり、図３は、本発明の第一の実施の形態における処理フローの一例を示す図である。以下、かかる図１、図２および図３を用いて、本発明の第一の実施の形態を詳細に説明する。
【００４０】
図３に示すように、無線ＡＰ１１は、移動端末１４に対してアクセスポイントＩＤ（ＡＰ−ＩＤ）の通知を行い、移動端末１４は、ＡＰ−ＩＤをメモリに格納する。ここで、ＡＰ−ＩＤとは、無線アクセスポイントを識別するための識別子であり、図２において、００１は無線アクセスポイント１１を表し、００２は無線アクセスポイント１２を表す。
【００４１】
移動端末１４は、情報提供装置１５にアクセスする際に、当該情報提供装置１５に対してメモリに格納されたＡＰ−ＩＤを一緒に送信する。情報提供装置１５は、移動端末１４から送信されたＡＰ−ＩＤを無線ＡＰ管理装置１３に送信する。無線ＡＰ管理装置１３は、情報提供装置１５の認証をした後に、図２のテーブルから、送信されたＡＰ−ＩＤに対応する位置と場所の属性とを情報提供装置１５に送信する。情報提供装置１５では、無線ＡＰポイント管理装置から送信された位置と場所とを用いて、情報提供装置１５内に保持されているコンテンツ（たとえば、銀座で人気の飲食店ベスト１０、渋谷で話題の喫茶店ベスト５などの情報）のなかから最適なコンテンツを検索し、当該コンテンツを移動端末１４に送信する。
【００４２】
以上のように、本発明の第一の実施の形態によれば、移動端末１４は、たとえば、渋谷に位置する場合に「渋谷で話題の喫茶店ベスト５」という、場所の意味的な属性（渋谷）に関連する情報を取得することができる。
【００４３】
図４は、本発明の第二の実施の形態における各装置の接続構成の一例を説明する図であり、請求項２に係る発明の実施の形態を示すものである。２１、２２は無線アクセスポイント（無線ＡＰ）、２３はそれら無線アクセスポイントを管理する無線アクセスポイント管理装置、２４は無線アクセス機能を持つ移動端末、２５は、無線アクセスポイントと当該無線アクセスポイントの圏内に位置する移動端末との関係を記憶する移動端末管理装置、２７はこれらを相互に接続するネットワークをあらわす。
【００４４】
図４に示す装置構成は、一例にすぎない。したがって、たとえば、無線ＡＰ管理装置と移動端末管理装置とを同一装置で実現することも可能である。図５は、本発明の第二の実施の形態における移動端末管理装置２５に保持しているデータの一例を説明する図であり、図６は、本発明の第二の実施の形態における処理フローの一例を説明する図である。以下、かかる図４、図５および図６を用いて、本発明の第二の実施の形態を詳細に説明する。
【００４５】
図６に示すように、情報提供装置２６は、外部からコンテンツを取得すると、このコンテンツを送るのに適した移動端末を調べるため、無線ＡＰ管理装置２３に対して、上記コンテンツを送るのに適した位置と場所の属性を送信する。無線ＡＰ管理装置２３は、情報提供装置２６の認証をした後、図２のテーブルから、送信された位置と場所の属性とに対応するＡＰ−ＩＤを取得し、これを移動端末管理装置２５に送信する。
【００４６】
移動端末管理装置２５は、図５のテーブルから、送信されたＡＰ−ＩＤに対応するアドレスを取得する。移動端末管理装置２５は、移動端末からの通知、あるいは移動端末への問い合わせにより、図５に示すＡＰ−ＩＤと移動端末のＩＤと移動端末のアドレスとの対応テーブルを随時更新しておく。または、移動端末管理装置２５は、ＡＰ−ＩＤを受信したときに、移動端末に対して位置と場所の属性の問い合わせを行って、図５に示すテーブルを更新しておく。
移動端末管理装置２５は、取得した複数の移動端末のアドレスを情報提供装置２６に送信する。情報提供装置２６は、位置情報と場所の属性とを用いて情報提供装置２６に保持されているコンテンツを検索し、これを上記のようにして受信したアドレスの移動端末に対して送信する。本実施の形態によれば、たとえば、デパートにおける時間限定の夏物洋服安売り情報などの情報をデパート側からタイミングをとって提供できるようになる。
【００４７】
図７は、本発明の第３の実施の形態における各装置の接続構成の一例を説明する図であり、請求項４に係る発明の実施の形態を示すものである。４１、４２は電車やバスなどの乗り物、４３、４４は乗り物に設置された移動無線アクセスポイント、４５はそれら移動無線アクセスポイントを管理する移動無線アクセスポイント管理装置、４６，４７は移動無線アクセスポイントが接続している無線アクセスポイント、４８、４９は移動無線アクセスポイントへのアクセス機能を持つ移動端末、５０は移動端末に対して情報を提供する情報提供装置、５１はこれらを相互に接続するネットワークをあらわす。
【００４８】
ここで、４３，４４の移動無線アクセスポイントの例としては、携帯電話網への接続機能と移動端末への接続機能（ＩＥＥＥ８０２．１１ｂやＢｌｕｅｔｏｏｔｈなど）の両方の機能を持つアクセスポイント、４６、４７は携帯電話網の無線アクセスポイントを用いることが考えられる。その場合、携帯電話網からは、移動無線アクセスポイントが携帯電話と同様に見えるため、４５の無線ＡＰ管理装置は、携帯電話網上のＨＬＲ（Ｈｏｍｅ  Ｌｏｃａｔｉｏｎ  Ｒｅｇｉｓｔｅｒ）などの位置管理をしている装置を流用してもよい。
【００４９】
図８は、本発明の第三の実施の形態および後述する第四の実施の形態における移動無線アクセスポイント管理装置に保持しているデータの一例を説明する図であり、図９は、本発明の第三の実施の形態における処理フローの一例を説明する図である。以下、かかる図７、図８および図９を用いて、本発明の第三の実施の形態を詳細に説明する。
【００５０】
図９に示すように、移動無線ＡＰ４３は、移動端末４８に対してＭＡＰ−ＩＤの通知を行い、移動端末４８は、ＭＡＰ−ＩＤをメモリに格納する。ここで、ＭＡＰ−ＩＤとは、移動無線アクセスポイントを識別するための識別子であり、図２において、００１は移動無線アクセスポイント４３を表し、００２は移動無線アクセスポイント４４を表す。
【００５１】
移動端末４８は、情報提供装置５０にアクセスする際に、当該情報提供装置５０に対してメモリに格納されたＭＡＰ−ＩＤを一緒に送信する。情報提供装置５０は、移動端末４８から送信されたＭＡＰ−ＩＤを移動無線ＡＰ管理装置４５に送信する。無線ＡＰ管理装置４５は、情報提供装置５０の認証をした後に、図８のテーブルから、送信されたＭＡＰ−ＩＤに対応する位置と場所の属性とを情報提供装置５０に送信する。情報提供装置５０では、無線ＡＰポイント管理装置から送信された位置と場所とを用いて、情報提供装置５０内に保持されているコンテンツ（たとえば、窓から見える景色情報や目的地に最も早くたどり着ける車両番号などの情報）のなかから最適なコンテンツを検索し、当該コンテンツを移動端末４８に送信する。
【００５２】
本実施の形態によれば、たとえば、電車に乗っているものは、移動端末を用いることにより、当該電車が目的地に到達する時刻やトイレのある車両の番号などを知ることができる
【００５３】
図１０は、本発明の第四の実施の形態における各装置の接続構成の一例を説明する図であり、請求項５に係る発明の実施の形態を示すものである。６１、６２は電車やバスなどの乗り物、６３、６４は移動無線アクセスポイント（移動無線ＡＰ）、６５はそれら移動無線アクセスポイントを管理する移動無線アクセスポイント管理装置、６６、６７は移動無線アクセスポイント６３、６４が通信するネットワークに接続された無線アクセスポイント、６８、６９は移動無線アクセスポイントへのアクセス機能を持つ移動端末、７０は移動端末の在圏の移動無線アクセスポイントと移動端末のアドレスを記憶する移動端末管理装置、７１は移動端末に対して情報を提供する情報提供装置、７２はこれらを相互に接続するネットワークをあらわす。
【００５４】
図１０に示す装置構成は、一例にすぎない。したがって、たとえば、移動無線ＡＰ管理装置と移動端末管理装置とを同一装置で実現することも可能である。図１１は、本発明の第四の実施の形態における移動端末管理装置７０に保持しているデータの一例を説明する図であり、図１２は、本発明の第四の実施の形態における処理フローの一例を説明する図である。以下、かかる図１０、図１１および図１２を用いて、本発明の第四の実施の形態を詳細に説明する。
【００５５】
図１２に示すように、情報提供装置７１は、外部からコンテンツを取得すると、このコンテンツを送るのに適した移動端末を調べるため、移動無線ＡＰ管理装置７０に対して、上記コンテンツを送るのに適した位置と場所の属性とを送信する。移動無線ＡＰ管理装置７０は、情報提供装置７１の認証をした後、図１１のテーブルから、送信された位置と場所の属性とに対応するＭＡＰ−ＩＤを取得し、これを移動端末管理装置７０に送信する。
【００５６】
移動端末管理装置７０は、図１１のテーブルから、送信されたＭＡＰ−ＩＤに対応するアドレスを取得する。移動端末管理装置７０は、移動端末からの通知、あるいは移動端末への問い合わせにより、図１１に示すＭＡＰ−ＩＤと移動端末のＩＤと移動端末のアドレスとの対応テーブルを随時更新しておく。または、移動端末管理装置７０は、ＭＡＰ−ＩＤを受信したときに、移動端末に対して位置と場所の属性の問い合わせを行って、図１１に示すテーブルを更新しておく。移動端末管理装置７０は、取得した複数の移動端末のアドレスを情報提供装置７１に送信する。情報提供装置７１は、位置と場所とを用いて情報提供装置７１に保持されているコンテンツを検索し、これを上記のようにして受信したアドレスの移動端末に対して送信する。
【００５７】
本実施の形態によれば、たとえば、車に乗っている人に対して、走行している付近で突発的に発生した車の衝突事故や渋滞などの情報を、道路を整備している側がタイミングをとって提供できる。
【００５８】
本発明は、上記実施の形態に何ら限定されるものではない。したがって、たとえば、第一の実施の形態と第二の実施の形態における無線ＡＰ管理装置と、第三の実施の形態と第四の実施の形態における移動無線ＡＰ管理装置は、同一装置で実現してもよい。その場合は、無線ＡＰへの問い合わせが統一されるため、無線ＡＰと移動無線ＡＰのどちらにいる移動端末に対しても効率よく情報を提供することができる。
【００５９】
【発明の効果】
以上述べたように、請求項１に係る発明によれば、無線アクセスポイントの場所の属性を利用することにより、よりユーザの状況に即した情報提供が可能となる。したがって、物理的な位置のみを利用していた従来に比べて、より効果的な情報の提供が可能となる。
【００６０】
請求項２に係る発明によれば、位置と場所との条件にあった移動端末に対して、プッシュ型の情報の提供が可能となる。したがって、時間限定の安売り情報などを情報提供がタイミングをとって提供できるため、従来に比べて、より効果的な情報の提供が可能となる。
【００６１】
請求項３に係る発明によれば、請求項１に係る発明の構成に加えて、無線アクセスポイントと当該無線アクセスポイントの圏内に位置する移動端末との関係を記憶する移動端末管理装置とを有しているため、位置や場所や時刻などの条件にあった無線アクセスポイントの圏内にいる移動端末に対して、移動端末が当該圏内に入ったことに起因して、コンテンツを提供することができるようになる。よって、たとえば、移動端末が午後１時に、東京駅に設置された無線アクセスポイントの圏内に入れば、当該午後１時に東京駅の無線アクセスポイントの圏内に入ったことに起因して、午後１時台のダイヤ情報を当該移動端末に提供できるようになる。
【００６２】
請求項４に係る発明によれば、移動無線アクセスポイントの圏内にいる端末に対しても、請求項１と同様の情報の提供が可能となる。請求項５に係る発明によれば、位置と場所との条件にあった移動無線アクセスポイントの圏内にいる移動端末に対して、プッシュ型の情報の提供が可能となる。したがって、山手線に乗っている人に対して乗り換えの情報などを情報提供者がタイミングをとって提供できるため、従来に比べて、より効果的な情報の提供が可能となる。
【００６３】
請求項６に係る発明によれば、請求項４に係る発明の構成に加えて、移動無線アクセスポイントと当該移動無線アクセスポイントの圏内に位置する移動端末との関係を記憶する移動端末管理装置とを有しているため、位置や場所や時刻などの条件にあった移動無線アクセスポイントの圏内にいる移動端末に対して、移動端末が当該圏内に入ったことに起因して、コンテンツを提供することができるようになる。したがって、山手線に乗っている人に対して、乗り換えの情報や車窓から見える景色の情報などを電車が駅を通過するタイミングや電車が所定の地点を通過するタイミングで提供できるようになる。
【図面の簡単な説明】
【図１】本発明の第一の実施の形態における各装置の接続構成の一例を示す図である。
【図２】本発明の第一の実施の形態および第二の実施の形態における無線アクセスポイント管理装置のデータ構成の一例を示す図である。
【図３】本発明の第一の実施の形態における処理シーケンスの一例を示す図である。
【図４】本発明の第二の実施の形態における各装置の接続構成の一例を示す図である。
【図５】本発明の第二の実施の形態における移動端末管理装置のデータ構成の一例を示す図である。
【図６】本発明の第二の実施の形態における処理シーケンスの一例を示す図である。
【図７】本発明の第三の実施の形態における各装置の接続構成の一例を示す図である。
【図８】本発明の第三の実施の形態および第四の実施の形態における移動無線アクセスポイント管理装置のデータ構成の一例を示す図である。
【図９】本発明の第三の実施の形態における処理シーケンスの一例を示す図である。
【図１０】本発明の第四の実施の形態における各装置の接続構成の一例を示す図である。
【図１１】本発明の第四の実施の形態における移動端末管理装置のデータ構成の一例を示す図である。
【図１２】本発明の第四の実施の形態における処理シーケンスの一例を示す図である。
【符号の説明】
１１    無線アクセスポイント
１２    無線アクセスポイント
１３    無線アクセスポイント管理装置
１４    移動端末
１５    情報提供装置
１６    ネットワーク
２１    無線アクセスポイント
２２    無線アクセスポイント
２３    無線アクセスポイント管理装置
２４    移動端末
２５    移動端末管理装置
２６    情報提供装置
２７    ネットワーク
４１    電車やバスなどの乗り物
４２    電車やバスなどの乗り物
４３    移動無線アクセスポイント
４４    移動無線アクセスポイント
４５    移動無線アクセスポイント管理装置
４６    無線アクセスポイント
４７    無線アクセスポイント
４８    移動端末
４９    移動端末
５０    情報提供装置
５１    ネットワーク
６１    電車やバスなどの乗り物
６２    電車やバスなどの乗り物
６３    移動無線アクセスポイント
６４    移動無線無線アクセスポイント
６５    移動無線アクセスポイント管理装置
６６    無線アクセスポイント
６７    無線アクセスポイント
６８    移動端末
６９    移動端末
７０    移動端末管理装置
７１    情報提供装置
７２    ネットワーク
【図１】
0003863405.tif 000002
【図２】
0003863405.tif 000003
【図３】
0003863405.tif 000004
【図４】
0003863405.tif 000005
【図５】
0003863405.tif 000006
【図６】
0003863405.tif 000007
【図７】
0003863405.tif 000008
【図８】
0003863405.tif 000009
【図９】
0003863405.tif 000010
【図１０】
0003863405.tif 000011
【図１１】
0003863405.tif 000012
【図１２】
0003863405.tif 000013